(57)【要約】【課題】浴用剤ａの分散効率が良く、簡単な構造で容易に製造でき、取り扱いも便利な浴用剤容器を提案する。【解決手段】合成樹脂製の容器本体２の上端開口を合成樹脂製の蓋体３で開閉可能に閉塞して内部に浴用剤ａを収納する収納部Ｒを画成するとともに、壁部に浴用剤溶出用の窓を備え、且つ、蓋体３裏面に合成樹脂発泡成形体製の浮４を嵌着固定した。そして、浴槽に浮かべることにより収納浴用剤ａを湯水に溶出する如く構成した。【選択図】図１
2006333878.tif 000002
【特許請求の範囲】
【請求項１】
合成樹脂製の容器本体２の上端開口を合成樹脂製の蓋体３で開閉可能に閉塞して内部に浴用剤ａを収納する収納部Ｒを画成するとともに、壁部に浴用剤溶出用の窓を備え、且つ、蓋体３裏面に合成樹脂発泡成形体製の浮４を嵌着固定したことを特徴とする浴用剤容器。
【請求項２】
上端を開口した有底筒状をなすとともに、底壁10及び／又は周壁11に前記浴用剤溶出用の窓を設けた前記容器本体２を備え、容器本体２後部上端に後部下端をヒンジ23を介して回動可能に連結して前記蓋体３を備え、開蓋状態で複数積み重ね可能に構成するとともに、積み重ね上部の蓋体３外周が積み重ね下部の蓋体３内周に係合可能に構成してなる請求項１記載の浴用剤容器。
【請求項３】
前記容器本体２及び蓋体３が、一端を閉塞し且つ他端を開口した筒状で、底部内或いは頂部内となる部分に浴用剤載置用台座15又は浮係合用枠25となる環状突片ｂを突設し、開口部相互を嵌着固定する連結手段を備えた同一形状をなす如く構成してなる請求項１記載の浴用剤容器。
【請求項４】
前記容器本体２を構成する合成樹脂を前記蓋体３を構成する合成樹脂より密度が大きいものとした請求項３記載の浴用剤容器。
【請求項５】
前記蓋体３裏面に嵌着固定した浮４の上部に空気室ｒを画成してなる請求項１乃至請求項４のいずれかに記載の浴用剤容器。
【発明の詳細な説明】
【技術分野】
【０００１】
本発明は浴用剤容器に関する。
【０００２】
芳香或いは温泉湯の成分の付与，着色，或いは殺菌等の目的で浴用剤を浴槽内に添加するための器具が種々提案されている（例えば、特許文献１及び特許文献２参照）。
【０００３】
特許文献１に記載されている器具は、開閉可能な中空球状のメッシュ容器内に浴用剤を収納し、このメッシュ容器を鎖を介して連結した吸着盤により吊り下げる如く構成し、メッシュ容器を湯の中に浸して収納浴用剤を使用する。
【０００４】
特許文献２に記載されている器具は、内部にフロート機能を付与する空間を有した上部容器と、上部容器に着脱自在で開口部を有する下部容器と入浴剤を収納した収納部及びフランジ部を有した耐水マットとからなる浴用剤容器であって、フランジ部が上部容器と下部容器とにより挟持され、かつ収納部が開口部から突出可能に構成されており、更に、耐水マットのフランジ部を構成する一面がフィルム状部材により形成され、耐水マットの収納部を下部容器の開口部から突出するように組み立てたときに、上部容器とフィルム状部材とにより密封空間を形成する如く構成している。
【特許文献１】特開平10-296272 号公報
【特許文献２】実公平06-000408 号公報
【発明の開示】
【発明が解決しようとする課題】
【０００５】
上記特許文献１のメッシュ容器による浴用剤の付与では吊り下げ位置が浴室内の壁面等に特定されて浴槽の辺部に吊り下げられるため、溶け出した浴用剤が浴槽内の一部に片寄り、均一に分散させるためには充分な攪拌が必要となる。一方、特許文献２の浴用剤容器では、湯水に浮かすことができるため分散効率が良く、入浴剤の徐溶性に優れ、入浴剤の芳香を浴室内に徐々に放出するという効果を発揮する優れたものであるが、非通気性のフィルム状部材と、通気性、通液性の耐水マットで入浴剤を収納する収納部を形成し、別に非通気性の上部容器及び下部容器を必要とし、また、上部容器及び下部容器及びフィルム状部材によりフロート機能を付与する空間を形成するため、これらの寸法精度をより高いものとしなければならない等の成形上の煩雑さがある。
【０００６】
本発明は上記した点に鑑みてなされたもので、浴用剤の分散効率が良く、また、簡単な構造で特別に高い寸法精度も必要とせず容易に製造でき、取り扱いも便利な浴用剤容器を提案する。また、組み立て作業の簡素化を図れ、製造効率の向上を図れる浴用剤容器を提案する。
【課題を解決するための手段】
【０００７】
本発明の浴用剤容器は容器本体２と、蓋体３と、浮４とを備えている。容器本体２は合成樹脂製で、上端を開口した有底筒状をなし、また、蓋体３も合成樹脂製で、容器本体２の上端開口を開閉可能に閉塞して内部に浴用剤を収納する収納部Ｒを画成する。
【０００８】
容器本体２及び蓋体３を形成する合成樹脂としては、浴槽内に浮かしても無害な樹脂であれば種々採用でき、また、湯水に対する比重が１より小さいものであっても大きいものであっても使用可能であり、例えば、ポリオレフィン系樹脂、ポリエステル樹脂等が好ましく使用できる。容器本体２と蓋体３は一体に形成しても、別体に形成しても良く、別体に形成する場合には容器本体２の比重を蓋体３の比重より重いものを使用して浮遊安定性を図ることも可能である。
【０００９】
浴用剤ａは固形状のものをそのまま収納部Ｒ内に収納しても、或いは通液性のある袋等の被覆体に収納した顆粒状，粉末状の形態のものであっても良く、その種類としては従来使用されている浴用剤を使用できる。
【００１０】
浮４は合成樹脂発泡成形体により形成されたもので、この合成樹脂発泡成形体も浴槽内に浮かしても無害なものであれば種々採用でき、発泡スチロールに代表されるポリスチレン系樹脂発泡体、その他ポリオレフィン系樹脂発泡体等を好ましく使用できる。浮４の形状或いは大きさは容器本体２及び蓋体３の形状或いは必要浮力にあわせて選択すれば特に限定されない。合成樹脂発泡成形体の発泡倍率，独立気泡，連続気泡等の物性も、必要浮力に応じて適宜選択すれば良く、特に限定されない。尚、前記蓋体３裏面に嵌着固定した浮４の上部に空気室ｒを画成しても良く、そうすることにより、より大きな浮力を浮４の材料を少なく得られる利点がある。
【００１１】
第１の手段として、合成樹脂製の容器本体２の上端開口を合成樹脂製の蓋体３で開閉可能に閉塞して内部に浴用剤ａを収納する収納部Ｒを画成するとともに、壁部に浴用剤溶出用の窓を備え、且つ、蓋体３裏面に合成樹脂発泡成形体製の浮４を嵌着固定した。
【００１２】
第２の手段として、前記第１の手段に於いて、上端を開口した有底筒状をなすとともに、底壁10及び／又は周壁11に前記浴用剤溶出用の窓を設けた前記容器本体２を備え、容器本体２後部上端に後部下端をヒンジ23を介して回動可能に連結して前記蓋体３を備え、開蓋状態で複数積み重ね可能に構成するとともに、積み重ね上部の蓋体３外周が積み重ね下部の蓋体３内周に係合可能に構成した。
【００１３】
第３の手段として、前記第１の手段に於いて、前記容器本体２及び蓋体３が、一端を閉塞し且つ他端を開口した筒状で、底部内或いは頂部内となる部分に浴用剤載置用台座15又は浮係合用枠25となる環状突片ｂを突設し、開口部相互を嵌着固定する連結手段を備えた同一形状をなす如く構成した。
【００１４】
第４の手段として、前記第３の手段に於いて、前記容器本体２を構成する合成樹脂を前記蓋体３を構成する合成樹脂より密度が大きいものとした。
【００１５】
第５の手段として、前記第１の手段乃至第４のいずれかの手段に於いて、前記蓋体３裏面に嵌着固定した浮４の上部に空気室ｒを画成した。
【発明の効果】
【００１６】
本発明の浴用剤容器は、湯水上に浮かせて使用するため浴用剤の分散効率が良く、また、構造が簡単で密閉空間を必要としないため寸法精度をそれ程要求されず、その結果容易に製造できる。また、蓋体３の開閉により浴用剤ａの補充，交換を行えるため、取り扱いも極めて便利である。
【００１７】
また、上端を開口した有底筒状をなすとともに、底壁10及び／又は周壁11に前記浴用剤溶出用の窓を設けた容器本体２を備え、容器本体２後部上端に後部下端をヒンジ23を介して回動可能に連結した蓋体３を備え、開蓋状態で複数積み重ね可能に構成するとともに、積み重ね上部の蓋体外周が積み重ね下部の蓋体３内周に係合可能に構成した場合には、容器製造後の保管，運搬の際に嵩張らず、また、蓋体３相互が係合するため、運搬時の振動等により蓋体３相互が衝突破損する等の不都合も極力防止できる。
【００１８】
更に、前記容器本体２及び蓋体３が、一端を閉塞し且つ他端を開口した筒状で、底部内或いは頂部内に浴用剤載置用台座15又は浮係合用枠25となる環状突片ｂを突設し、開口部相互を嵌着固定する連結手段を備えた同一形状をなす如く構成した場合には、容器本体２及び蓋体３を同一の型で形成でき、製造効率の向上を図れる。また、組み立て時にも容器本体２及び蓋体３を当初一緒にした状態で行えるため、組み立て作業をより簡素化できる。
【００１９】
また、前記の如く容器本体２と蓋体３とを同一形状に形成した場合に、容器本体２を構成する合成樹脂を蓋体３を構成する合成樹脂より密度が大きいものとすれば、より安定した浮遊状態を維持できるという効果がある。
【００２０】
また、蓋体３裏面に嵌着固定した浮４の上部に空気室ｒを画成した場合には、より大きな浮力を浮４の材料を少なく得られる利点がある。
【発明を実施するための最良の形態】
【００２１】
以下、本発明の実施例の形態を図面を参照して説明する。
【００２２】
図１乃至図５は本発明浴用剤容器の一例を示し、該浴用剤容器１は、容器本体２と、蓋体３と、浮４とを備えている。
【００２３】
容器本体２は、上端を開口した有底筒状形態をなし、底壁10の周縁より上方に拡がる周壁11を立設しており、周壁11の上端部は拡径して円筒状に形成しており、その上面外周縁を嵌合用の嵌合凹部12に形成している。また、底壁10には放射状に浴用剤溶出用の窓13a を複数穿設しており、周壁11には傾斜部分の上端から底壁10縁部に至る帯状の浴用剤溶出用の窓13b を周方向等間隔に複数縦設している。
【００２４】
蓋体３は容器本体２と合成樹脂により一体に形成したもので、周壁20上端縁より頂壁21を延設した下端開口の有頂筒状形態をなし、周壁20下端部を順次第１拡径部20a 及び第２拡径部20b と二段に拡径しており、下端の第２拡径部20b を容器本体２の嵌合凹部12に嵌合させて容器本体２の上端開口を閉塞しており、頂壁21下方に浮４を収納嵌着するスペースを備えている。このスペース部分の周壁20の内面には周方向間隔をあけて浮４を係止するための突条22を複数縦設している。また、周壁20の後部下端をヒンジ23を介して容器本体周壁11の後部上端に回動可能に連結しており、先端部に突設したフック24を容器本体２の周壁11前部上端に突設した係止突起14に係脱可能に係合させている。また、蓋体３を閉塞した容器本体２内部は浴用剤ａを収納する収納部Ｒとして構成している。浴用剤ａは、通液性の有る被覆体に収納された顆粒状をなしている。
【００２５】
浮４は円板状をなす合成樹脂の発泡成形体であり、周囲を前記突条22に圧接させて蓋体３の頂壁21直下に嵌着させている。
【００２６】
上記の如く構成した浴用剤容器１を使用するに当たっては、図１の状態で浴槽内の湯水に浮かべると、浮４の存在で容器本体２内の収納部Ｒに収納した浴用剤ａが溶出するため、浴槽の中央部に於いて溶出させることができ、必要に応じて手等により拡散する。また、必要に応じて浮かす位置を移動させれば良い。浴用剤ａの交換に当たっては、蓋体３を開いて補充或いは交換を行えば良い。また、本例に於ける浴用剤容器１は製造後の保管，運搬時において、図５に示す如く、複数の浴用剤容器１を積み重ねることができ、その際、容器本体２内に容器本体２を嵌合するとともに、開いた蓋体３の周壁11上部を下方の蓋体３の第１拡径部20a 内に嵌合可能に構成しており、複数の浴用剤容器１を安定した状態で積み重ねて保管，運搬することができる如く構成している。
【００２７】
図６及び図７は他の一例を示すもので、前記容器本体２及び蓋体３が、一端を閉塞し且つ他端を開口した筒状で、底部内或いは頂部内となる部分に浴用剤載置用台座15又は浮係合用枠25となる環状突片ｂを突設し、開口部相互を嵌着固定する連結手段を備えた同一形状をなす例を示す。
【００２８】
容器本体２は断面形状が楕円形状をなす上端開口の有底筒状形態をなし、また、周壁部分には等間隔に縦長の浴用剤溶出用の窓13c を複数穿設している。更に、底部内面には浴用剤載置用台座15として使用する円筒状の環状突片ｂを立設しており、その上に浴用剤ａを載置収納している。また、上端開口部より連結手段を構成する係合突片16を等間隔に四箇所の突設しており、その横幅が各係合突片16間の間隙幅と一致する如く構成している。各係合突片16は、図７に示す如く、四角板状をなし、外面に係合突条17を突設しており、上端開口部の内側面と同外径の外径面を備えている。更に、各係合突片16間の容器本体周壁部上部所定位置には、蓋体３の後述する各係合突条が係合する係合凹溝18をそれぞれ凹設している。
【００２９】
蓋体３は容器本体２と同一形状であり、容器本体２を逆さまにした状態のもので、従って、容器本体２と同一の型での形成が可能となる。また、断面形状が楕円形状をなす下端開口の有頂筒状形態をなし、周壁部分には等間隔に縦長の浴用剤溶出用の窓13d を多数穿設している。更に、頂部内面には浮係合用枠25として使用する円筒状の環状突片ｂを垂設して、ここに円柱状の浮４を嵌着固定している。下端開口部より連結手段を構成する係合突片16を等間隔に四箇所の垂設しており、その間の容器本体周壁部下端所定位置には係合凹溝18をそれぞれ凹設している。
【００３０】
本例の場合には、容器本体２内の浴用剤載置用台座15上に浴用剤ａを載置した後、浮係合用枠25に浮４を嵌着した蓋体３を嵌合して形成する。この際、浮き４上方の浮係合用枠25内には空気室ｒが画成されている。蓋体３の各係合突片16を容器本体２の開口内面に、容器本体２の各係合突片16を蓋体３の開口内面にそれぞれ嵌合させて、また、容器本体周壁11上面に蓋体周壁20下面を当接させて蓋体３を容器本体２に嵌着する。この際容器本体２と蓋体３の各係合突条17はそれぞれ対応する係合凹溝18と係合する。使用に当たっては、図１の例と同様に浴槽の湯水上に浮かせれば良い。また、収納した浴用剤ａがなくなれば、蓋体３を外して再び装着することができる。
【図面の簡単な説明】
【００３１】
【図１】本発明浴用剤容器の半断面図である。（実施例１）
【図２】本発明浴用剤容器の容器本体部分の平面図である。（実施例１）
【図３】本発明浴用剤容器の浮嵌着前の斜視図である。（実施例１）
【図４】本発明浴用剤容器の斜視図である。（実施例１）
【図５】本発明浴用剤容器を積み重ねた状態の縦断面図である。（実施例１）
【図６】本発明浴用剤容器の使用時の判断面図である。（実施例２）
【図７】本発明浴用剤容器の連結手段を説明する要部斜視図である。（実施例２）
【符号の説明】
【００３２】
２…容器本体，３…蓋体，４…浮，10…容器本体底壁，11…容器本体周壁，
13a 〜13d …浴用剤溶出用の窓，15…浴用剤載置用台座，23…ヒンジ，
25…浮係合用枠，Ｒ…収納部，ａ…浴用剤，ｂ…環状突片，ｒ…空気室              
【図１】
2006333878.tif 000003
【図２】
2006333878.tif 000004
【図３】
2006333878.tif 000005
【図４】
2006333878.tif 000006
【図５】
2006333878.tif 000007
【図６】
2006333878.tif 000008
【図７】
2006333878.tif 000009